(57)【要約】【課題】小さい力で効率よく姿勢を矯正することができる矯正装具を提供する。【解決手段】使用者の左右の腕の付け根に巻き付ける左右の胸ベルトであって、身体への装着状態において、その端部が背中面で交差した後、更に脇近傍及び腹部に巻き付けられ、前記腹部において接合される左右の胸ベルトと、装着状態において、背中面に巻きつけられた前記胸ベルトが摺動自在に通過する胸ベルト挿入部を備えてなる背当て面部と、を備えた姿勢矯正装具であり、前記左右の胸ベルト端部の接合位置を変更することにより、前記胸ベルトの腕の付け根に巻きつけられた部分を背面側の方向に向かって引っ張る力が効率よく胸ベルトに伝達され、かつその力が調節可能である。【選択図】図９
2014023759.tif 000002
【特許請求の範囲】
【請求項１】
左右の腕の付け根に巻き付ける左右の胸ベルトであって、身体への装着状態において、その端部が背中面で交差した後、更に脇近傍及び腹部に巻き付けられ、前記腹部において取り外し自在に接合される左右の胸ベルトと、
身体への装着状態において、背中面に巻きつけられた前記胸ベルトが摺動自在に通過する胸ベルト挿入部を備えてなる背当て面部と、を備え、
前記左右の胸ベルト端部の接合位置を変更することにより、前記胸ベルトの腕の付け根に巻きつけられた部分を背面側の方向に向かって引っ張って矯正する力を調節可能であることを特徴とする姿勢矯正装具。
【請求項２】
前記胸ベルト挿入部は、少なくとも、前記胸ベルトの腕の付け根に巻きつけられ、腕の上部を通って背中面に達する部分が摺動自在に通過する第１の胸ベルト挿入部を備えてなる請求項１に記載の姿勢矯正装具。
【請求項３】
前記胸ベルト挿入部は、少なくとも、前記胸ベルトの腕の付け根に巻きつけられ、腕の下部および背中面を通る部分が摺動自在に通過する第２の胸ベルト挿入部を備えてなる請求項１または２のいずれかに記載の姿勢矯正装具。
【請求項４】
前記胸ベルト挿入部は、少なくとも、前記胸ベルトの腕の付け根に巻きつけられ、腕の下部および背中面を通る部分と、前記胸ベルトの腕の付け根に巻きつけられ、腕の下部および背中面を通る部分とが接合された後の自由端が摺動自在に通過する第３の胸ベルト挿入部を備えてなる請求項１、２または３のいずれかに記載の姿勢矯正装具。
【請求項５】
前記背当て面部が、前記第１の胸ベルト挿入部と前記第２の胸ベルト挿入部の距離の変動を防止する型板を一体的に備えてなる請求項１〜４のいずれかに記載の姿勢矯正装具。
【発明の詳細な説明】
【技術分野】
【０００１】
本発明は、胸部から肩部に装着される姿勢矯正装具に関する。
【背景技術】
【０００２】
猫背や前かがみの姿勢を矯正するための姿勢矯正装具としては、図１０，１１に示されるように、胸部に巻き付ける胸ベルト２０と、前記胸ベルト２０の背面側の中央の上部に設けられた背当て部３０と、前記背当て部３０の上部の左右から、前記胸ベルト２０の胸部側に伸びる一対の片掛ベルト４０（４１，４２）と、前記一対の片掛ベルト４０の両方の背面側に結合された固定端５０ａと前記固定端５０ａから下向きに延びて前記胸ベルト２０に着脱自在に固定される自由端５０ｂとを有する調節ベルト５０と、を備え、前記調節ベルト５０の自由端５０ｂの固定位置を変更することにより、前記一対の片掛ベルト４０の背面側を前記胸ベルト２０に向かって引っ張る力を調節可能である姿勢矯正装具が知られている（例えば、特許文献１）。この姿勢矯正装具では、調節ベルト５０の自由端５０ｂの固定位置を変更することにより、前記一対の片掛ベルト４０の背面側を前記胸ベルト２０に向かって引っ張る力を調節可能である点で、使用者の姿勢を矯正する機能がある点で優れたものである。
このような姿勢の矯正は、前記調節ベルト５０（左右で５１，５２）を引っ張ることが、背当て部３０全体を下方に引っ張ることによって腕の付け根に巻きつけられた前記片掛ベルト４０の端部を背中の方に引っ張ることによって達成される。即ち、図１１に示される背当て部３０に接続された調節ベルト５１，５２の端部を、図１０に示される矢印Ｙ１のように腹部の方向に引っ張る力が、図１１に示す背当て部３０を下方に引き下げ、それによって片掛ベルト４１、４２を図１１に示す矢印Ｙ２のように背中中央の方向に引き下げることで姿勢が矯正される。
【０００３】
しかしながら、この姿勢矯正装具１０では、上記調節ベルト５１，５２は、胸ベルト２０の胸部側片２１，２２によって身体にほぼ固定された背当て部３０に接続されているため、次のような不都合があった。
Ａ．前記のように調節ベルト５１，５２が接続された前記背当て部３０は、前記のように胸部側片２１，２２によって身体にほぼ固定されているので、調節ベルト５１，５２の力がこの前記背当て部３０に吸収され、片掛ベルト４１、４２を背中中央の方向に引き下げる力に寄与しないため、あまり姿勢の矯正に寄与しない。
Ｂ．また、図１１から明らかなように、姿勢の矯正に寄与する肩ベルト４１，４２を引っ張る力の方向はほぼ垂直方向（背骨に沿った方向）となるべきであるが、調節ベルト５１，５２を引っ張る力Ｙ１の方向は、図１１のようにほぼ水平方向となってしまうので、力の垂直成分が少なく、この点でも調節ベルト５１，５２を引っ張る力が、姿勢の矯正に寄与しないこととなっている。
【０００４】
Ｃ．更に前記従来の姿勢矯正装具１０では、前記のように片掛ベルト４１、４２、胸ベルト２０および調節ベルト５０がいずれも背当て部３０に固定的に接続されているが、姿勢を矯正しようとする人の体格はやせ型の人から肥満型の人まで相当の開きがあるのに、上記のようにすべてのベルトが１つの背当て部３０に接続している従来の姿勢矯正装具１０では、装具として正しい方向にベルトを引っ張ることができない。そのため、使用する人の体格によっては、正確に姿勢を矯正することができない場合が生じるという問題があった。
【先行技術文献】
【特許文献】
【０００５】
【特許文献１】特開２０１０−９４３２８号公報
【発明の概要】
【発明が解決しようとする課題】
【０００６】
上記のような不都合は、Ａ．の場合もＢ．の場合も、調節ベルト５１，５２が、身体に固定された前記背当て部３０に接続され、調節ベルト５１，５２を引っ張る力が背当て部３０を介して肩掛ベルト４１、４２に伝達されることから生じるものであるので、調節ベルト５１，５２と背当て部３０との接続を断ち、調節ベルト５１，５２が背当て部３０とは関係なく肩掛ベルト４１、４２に直接接続されるようになれば解消される。
また、Ｃ．の場合には、各ベルトが１個の背当て部３０に固定的に接続されていることから生じるので、背当て部３０と各ベルトとの関連を断つことによって解消される。
【０００７】
そこで、本発明は、調節ベルトに相当するベルトと背当て部に相当する部材との接続を断ち、調節ベルトに相当するベルトが背当て部に相当する部材とは関係なく肩掛ベルトに直接接続されるようにすることによって、調節ベルトの張力が肩掛ベルトに直接掛ることで、効率よく姿勢を矯正しようとする力が発揮されるような姿勢矯正装具を提供することを目的とする。また、本発明の別の目的は、この装具を使用する人の体格に関係なく正しい方向の姿勢矯正力が発揮される姿勢矯正装具を提供することを目的とする。
【課題を解決するための手段】
【０００８】
本発明の姿勢矯正装具は、左右の腕の付け根に巻き付ける左右の胸ベルトであって、身体への装着状態において、その端部が背中面で交差した後、更に脇近傍及び腹部に巻き付けられ、前記腹部において接合される左右の胸ベルトと、身体への装着状態において、背中面に巻きつけられた前記胸ベルトが摺動自在に通過する胸ベルト挿入部を備えてなる背当て面部と、を備え、前記左右の胸ベルト端部の接合位置を変更することにより、前記胸ベルトの腕の付け根に巻きつけられた部分を背面側の方向に向かって引っ張る力を調節可能であることを特徴とする姿勢矯正装具である。
従って本発明の姿勢矯正装具では、装着したときに胸ベルトの自由端部を引っ張る力で姿勢を矯正する力を生じさせるが、前記胸ベルトの自由端部は、直接的に肩の上部から背中を通る部分と１本のベルトとして働くように接続されていると共に途中の部分が身体に固定されず自由に滑ることができるので、前記自由端部を引っ張る力は、直接的に前記肩の上部から背中を通る部分を引張り、胸を張る方向の矯正力を発生させる。従って、前記胸ベルトの自由端部を引っ張る力が、背当て面部などに吸収されて片掛ベルトを引っ張る力が減殺されるようなことがなく、強力な矯正力を発生させることができる。また、前記自由端部を引っ張る力は、直接的に前記肩への巻き付き部分を引張るので、従来の姿勢矯正装具１０と比べて、肩に巻き付いた胸ベルトを引っ張る方向が垂直（背骨に沿った）方向となるので、背中方向に引っ張る力が大きくなり、姿勢矯正の効果が著しく増大する。
更に、胸ベルトと背当て面部とは、胸ベルトが摺動自在に挿入される前記胸ベルト挿入部を介して関連付けられているのみで、背当て面部が胸ベルトに固定されたものでないから、このような固定状態にある従来の姿勢矯正装具１０と比べると、胸ベルト対して背当て面部が上下方向に自由に移動することができるので、使用者の体格が大きく相違しても、胸ベルトの作用方向がねじ曲げられたり、引きつったりするような不正な方向となることがなく、常に正確な姿勢矯正力が発揮される。
前記胸ベルト挿入部には種々の態様があり得る。たとえば、少なくとも、前記胸ベルトの腕の付け根に巻きつけられ、腕の上部を通って背中面に達する部分が摺動自在に通過する第１の胸ベルト挿入部を備えてなることが可能である。
また、前記胸ベルト挿入部は、少なくとも、前記胸ベルトの腕の付け根に巻きつけられ、腕の下部および背中面を通る部分が摺動自在に通過する第２の胸ベルト挿入部を備えてなることもできる。
更に又前記胸ベルト挿入部は、少なくとも、前記胸ベルトの腕の付け根に巻きつけられ、腕の下部および背中面を通る部分と、前記胸ベルトの腕の付け根に巻きつけられ、腕の下部および背中面を通る部分とが接合された後の自由端が摺動自在に通過する第３の胸ベルト挿入部を備えてなるものであってもよい。
前記背当て面部を、前記第１の胸ベルト挿入部と前記第２の胸ベルト挿入部の距離の変動を防止する型板を一体的に備えてなるものとして構成することで、背中に沿ってセットされる背当て面部で背骨の矯正を行うことが可能である。
【発明の効果】
【０００９】
本発明の姿勢矯正装具は、前記のように構成されているので、胸ベルトによる肩部を後ろに引っ張る力が有効に伝達され、小さい力で姿勢矯正が可能となる。また、使用者の体格に応じてベルトの方向が変化する機能も備えているので、体格によって、胸ベルトがよじれたり、偏ったりすることがなく、バランスのとれた姿勢矯正が可能となる。
【図面の簡単な説明】
【００１０】
【図１】本発明の実施の形態に係る姿勢矯正装具１０ａの正面図（写真）である。
【図２】本発明の実施の形態に係る姿勢矯正装具１０ａの裏面図（写真）である。
【図３】本発明の実施の形態に係る姿勢矯正装具１０ａを正面から見た斜視図（写真）である。
【図４】本発明の実施の形態に係る姿勢矯正装具１０ａを裏面から見た斜視図（写真）である。
【図５】本発明の実施の形態に係る姿勢矯正装具１０ａの背当て面部のみを正面から見た斜視図である。
【図６】本発明の実施の形態に係る姿勢矯正装具１０ａの図１におけるＡ−Ａ線拡大図である。
【図７】本発明の実施の形態に係る姿勢矯正装具１０ａの使用状態を示す写真である。
【図８】本発明の実施の形態に係る姿勢矯正装具１０ａの使用状態を示す写真である。
【図９】本発明の実施の形態に係る姿勢矯正装具１０ａの使用状態を示す写真である。
【図１０】本発明の従来技術にかかる姿勢矯正装具の使用状態を示す斜視図である。
【図１１】本発明の従来技術にかかる姿勢矯正装具の使用状態を示す斜視図である。
【発明を実施するための形態】
【００１１】
以下、添付図面に基づいて本発明の実施の形態を詳細に説明する。なお、以下の説明では、必要に応じて特定の方向や位置を示す用語（例えば、「上」、「下」、「右」、「左」及び、それらの用語を含む別の用語）を用いる。それらの用語の使用は図面を参照した発明の理解を容易にするためであって、それらの用語の意味によって本発明の技術的範囲が限定されるものではない。また、複数の図面に表れる同一符号の部分は同一の部分又は部材を示す。
【００１２】
図１〜図６に図示した姿勢矯正装具１０ａは、左右の腕の付け根（脇下）に巻き付ける左右の胸ベルト２０ａを備える。胸ベルト２０ａは、その一部あるいは全部がゴムなどのベルト長手方向に弾性的に伸縮する素材から構成されている。
また前記胸ベルト２０ａは、図８、図９に示すような身体への装着状態において、図９に示すように、背中面で交差した後（交差した部分を端部２１ａと記す）更に図８に示すように脇近傍（この部分を端部２２ａと記す）及び腹部（この部分を端部２３ａと記す）に巻き付けられ、前記腹部において端部２３ａに設けられた面テープなどの接合手段によって接合される。
更に姿勢矯正装具１０ａは、装着状態において背中面に巻きつけられた前記胸ベルト２０ａが摺動自在に通過する胸ベルト挿入部２５ａ、２６ａ、２７ａ（図１、３、５参照）を備えてなる背当て面部３０ａを備えている。
その結果、前記左右の胸ベルト端部２３ａの接合位置を変更する、即ち、胸ベルト２０ａの引張り力を調整することにより、前記胸ベルト２０ａの腕の付け根に巻きつけられた部分を背面側の方向に向かって引っ張る力、即ち姿勢を矯正する力を調節可能である。
【００１３】
詳細に説明するならば、前記胸ベルト２０ａは、図８、図９に示す装着状態で、左（または右）の腕の付け根に巻き付けられる肩巻き付き部２０−１ａと、この肩巻き付き部２０−１ａの延長部分であって、左（または右）肩の上を通ったのち背中から右（または左）方向に導かれる第１の背中巻き付き部２０−２ａと、前記肩巻き付き部２０−１ａの延長部分であって左（または右）脇下から背中を通って右（または左）方向に導かれ、前記第１の背中巻き付き部２０−２ａの自由端がリベット２４ａで接続された後、更に前記右（または左）腰まわりを経て、腹部に至る第２の背中巻き付き部２０−３ａとから構成された２本のベルトからなっている。
図９から理解されるように、右肩から来た第１の背中巻き付き部２０−２ａは左肩から来た第１の背中巻き付き部２０−２ａと背中中央部で交差したのちリベット２４ａに至る。また、右肩から来た第２の背中巻き付き部２０−３ａは左肩から来た第２の背中巻き付き部２０−３ａと背中中央部で交差した後、リベット２４ａに至る。
左（または右）肩から腹部に至った胸ベルト２０ａの端部には面テープ２８ａなどの接合手段が取り付けられており、左右の胸ベルト２０ａの自由端は腹部において前記接合手段によって接合される。面テープ２８ａは、横長であるので、自在に接合位置を変えることができる。前記面テープ２８ａによる接合位置を変えると、胸ベルト２０ａの張力を変化させることができる。
【００１４】
前記背当て面部３０ａは、図１のＡ−Ａ線拡大図である図６および背当て面部３０ａの斜視図である図５に詳細に示されるように、布、網、不織布などから構成される平面的な構造物であり、全体として略瓢箪型の基材部３０−１ａと、図５、図６、図９に示されるように、装着状態において背中面に向く面とは反対側の面（即ち正面）において、この基材部３０−１ａに部分的に縫いつけられた第１〜第３の張付布部３０−２ａ、３０−３ａ，３０−４ａとから構成されている。
【００１５】
こうして前記背当て面部３０ａは、前記胸ベルト２０ａの腕の付け根に巻きつけられ、腕の上部（肩上部）を通って背中面に達する第１の背中巻き付き部２０−２ａが摺動自在に通過する第１の胸ベルト挿入部２５ａ，２５ａと、前記胸ベルト２０ａの腕の付け根に巻きつけられ、腕の下部（脇下）および背中面を通る第２の背中巻き付き部２０−３ａが摺動自在に通過する第２の胸ベルト挿入部２６ａ、２６ａと、前記第１の背中巻き付き部２０−２ａの自由端とリベット２４で接合された後の第２の背中巻き付き部２０−３ａが、摺動自在に通過する第３の胸ベルト挿入部２７ａとを備えている。
【００１６】
前記１の胸ベルト挿入部２５ａ，２５ａは、基材部３０−１ａとこれに部分的に縫い付けられた第１の張付布部３０−２ａとの間の隙間から構成されている。同様に前記２の胸ベルト挿入部２６ａ，２６ａは、基材部３０−１ａとこれに部分的に縫い付けられた第２の張付布部３０−３ａとの間の隙間から構成されている。また前記第３の張付布部３０−４ａは一枚の布が二つ折りにされて基材部３０−１ａに縫いつけられており、第３の胸ベルト挿入部２７ａ，２７ａは、第３の張付布部３０−４ａの折り返し部に形成された隙間から構成されている。
【００１７】
この実施形態では、基材部３０−１ａ、第１および第２の張付布部３０−２ａ、３０−３ａは、いずれも図示のようにネット状の板状体により構成され、風通しが良好である。
前記姿勢矯正装具１０ａの装着状態においては、身体が左右対称であることから、背当て面部３０ａは、背中の中心線に沿って配置されることになる。
以上のような構成により、姿勢矯正装具１０ａの装着時には、使用者は、図７に示すように姿勢矯正装具１０ａの胸ベルト２０ａを肩に巻き付け、胸ベルト２０ａに適当な引張り力が生じるところまで胸ベルト２０ａの端部２３ａを体の前に引き出し、その位置で胸ベルト２０ａの端部をその端部に取り付けられた面テープ２８ａなどの接合手段で接続することで、適切な姿勢矯正力に簡単に設定できるので、短時間で装着することができる。また、姿勢矯正装具１０ａの使用中に胸ベルト２０ａの張力が強すぎる又は弱すぎると感じたら、前記接合手段の接合位置を変えて、簡単に張力を調節することができる。
【００１８】
上述のように本発明の姿勢矯正装具１０ａでは、装着したときに胸ベルト２０ａの端部２３ａを引っ張る力で姿勢を矯正する力を生じさせるが、前記端部２３ａは、直接的に、あるいはこの実施形態のようにリベット２４ａを介して肩の上部から背中を通る第１の背中巻き付き部２０−２ａに１本のベルトとして働くように接続されているので、前記端部２３ａを引っ張る力は、直接的に、あるいはこの実施形態のようにリベット２４ａを介して前記第１の背中巻き付き部２０−２ａを引張り、胸を張る方向の矯正力を発生させる。従って、体にほぼ固定された背当て部を介して肩ベルトを引っ張る従来の姿勢矯正装具と比べて、前記胸ベルト２０ａの端部２３ａを引っ張る力が、背当て部に吸収されて肩ベルトを引っ張る力が減殺されるようなことがなく、直接的に、矯正力を発生させることができるのでベルトに無駄な力を加える必要がない。また、前記端部２３ａを引っ張る力は、直接的に、あるいはこの実施形態のようにリベット２４ａを介して前記第１の背中巻き付き部２０−２ａを引っ張るので、背当て部に掛る力の方向が水平方向となって背当て部に対して作用する垂直分力がほとんど生じない従来の姿勢矯正装具１０と比べて、肩に巻き付いた胸ベルトを背中方向に引っ張る力が大きくなるので姿勢矯正の効果が著しく増大する。
更に、胸ベルト２０ａと背当て面部３０ａとは、胸ベルト２０ａが摺動自在に挿入される前記第１〜第３の胸ベルト挿入部（２５ａ，２６ａ，２７ａ）を介して関連付けられているのみで、背当て面部３０ａが胸ベルト２０ａに固定されたものでないから、身体に固定状態にある従来の姿勢矯正装具１０と比べると、胸ベルト２０ａに対して背当て面部３０ａが上下方向に自由に移動することができるので、使用者の体格が大きく相違しても、胸ベルト２０ａの作用方向がねじ曲げられたり、引きつったりするような不正な方向となることがなく、常に正確な姿勢矯正力が発揮されるものである。
【００１９】
なお、夏用の姿勢矯正装具１０ａでは、背当て面部３０ａに風通しのよい多数の開口が形成されているのが好ましい。そのために、この実施形態のように背当て面部３０ａの大部分を風通りのよいネット状の面状体で構成することが望ましい。ただし、背当て面部３０ａの形状が崩れることは背中の曲がりを矯正する上で望ましくないので、背当て面部３０ａには、面状の型板３１ａを縫い込んでおくようなことが望ましい。
【００２０】
次に本実施の形態の姿勢矯正装具１０ａの装着手順を説明する。
この実施形態にかかる姿勢矯正装具１０ａは、図３、４に示されるように、最初から背当て面部３０ａの第１〜第３の胸ベルト挿入部２５ａ、２６ａ，２７ａに胸ベルト２０ａが挿入されている。この状態の姿勢矯正装具１０ａの胸ベルト２０ａに腕を通して、姿勢矯正装具１０ａを背負うように身体に装着する。装着された状態が図７に示される。
【００２１】
この状態から図７に示されるように胸ベルト２０ａの端部２３ａ、２３ａを身体前方の方へ引っ張ると端部２３ａと一体の第１の背中巻き付き部２０−２ａと、第２の背中巻き付き部２０−３ａとが引っ張られ、これらの背中巻き付き部と一連の肩巻き付き部２０−１ａが身体後方向に引っ張られて、姿勢が矯正される。
【００２２】
姿勢が適度に矯正されたならば、使用者はその状態で胸ベルト端部２３ａ，２３ａをそこに設けられた面テープ２８ａなどの接合手段を用いて接合する。面テープなどの接合手段は接合状態が安定しているので、姿勢の矯正状態が維持される。
【００２３】
姿勢矯正力が緩くなったり、きつすぎると感じた場合には、前記接合手段を緩めて接合位置を変えることで、所望の矯正力に調整することができる。姿勢矯正装具１０ａをはずしたい場合には、接合手段をはずして姿勢矯正具１０ａを背中から外せばよい。
【００２４】
この実施形態にかかる姿勢矯正具１０ａにおいては、装着したときに胸ベルト２０ａの端部２３ａを引っ張る力で姿勢を矯正する力を生じさせるが、前記端部２３ａは、直接的に、あるいはこの実施形態のようにリベット２４ａを介して肩の上部から背中を通る第１の背中巻き付き部２０−２ａに１本のベルトとして働くように接続されているので、前記端部２３ａを引っ張る力は、直接的に、あるいはこの実施形態のようにリベット２４ａを介して前記第１の背中巻き付き部２０−２ａを引っ張り、胸を張る方向の矯正力を発生させる。
【００２５】
従って、体にほぼ固定された背当て部を介して肩ベルトを引っ張る従来の姿勢矯正装具１０と比べて、前記胸ベルト２０ａの端部２３ａを引っ張る力が、背当て部に吸収されて肩ベルトを引っ張る力が減殺されるようなことがなく、直接的に、矯正力を発生させることができる。また、前記端部２３ａを引っ張る力は、直接的に、あるいはこの実施形態のようにリベット２４を介して前記第１の背中巻き付き部２０−２ａを引っ張るので、背当て部に掛る力の方向が水平方向となって背当て部に対して作用する垂直分力がほとんど生じない従来の姿勢矯正装具１０と比べて、肩に巻き付いた胸ベルトを背中方向に引っ張る力が大きくなるので姿勢矯正の効果が著しく増大する。
【００２６】
更に、胸ベルト２０ａと背当て面部３０ａとは、胸ベルト２０ａが摺動自在に挿入される前記第１〜第３の胸ベルト挿入部（２５ａ，２６ａ，２７ａ）を介して関連付けられているのみで、背当て面部３０ａが胸ベルト２０ａに固定されたものでないから、このような固定状態にある従来の姿勢矯正装具１０と比べると、胸ベルト２０ａに対して背当て面部３０ａが上下方向に自由に移動することができるので、使用者の体格が大きく相違しても、胸ベルト２０ａの作用方向がねじ曲げられたり、引きつったりするような不正な方向となることがなく、常に正確な姿勢矯正力が発揮される。
【００２７】
自由な端部２３ａ、２３ａを接合するための接合手段としては、マジックテープなどの面テープ、ホック等があるが、特に、任意の位置に固定できる面テープが好ましい。図示の例では、端部２３ａ、２３ａの裏面側にフック側の面テープを設け、胸ベルト２０ａの表面にループ側の面テープを設けている。これにより、端部２３ａ、２３ａは任意の位置に位置できる。特に、一方の端部２３ａに設けるループ側の面テープの面積を、他端に設けるフック側の面テープよりも格段に広くすることにより、端部２３ａ、２３ａをさまざまな位置に固定することが可能となり、胸ベルト２０ａを引っ張る力を幅広くコントロールできる。
【産業上の利用可能性】
【００２８】
本発明は、人の背骨などの姿勢を矯正するために身体に装着する装具に関するものである。
【符号の説明】
【００２９】
１０ ａ…姿勢矯正装具
２０ａ…胸ベルト
３０ａ…背当て面部
２５ａ，２５ａ，２７ａ…第１〜第３の胸ベルト挿入部
【図５】
2014023759.tif 000003
【図１０】
2014023759.tif 000004
【図１１】
2014023759.tif 000005
【図１】
2014023759.tif 000006
【図２】
2014023759.tif 000007
【図３】
2014023759.tif 000008
【図４】
2014023759.tif 000009
【図６】
2014023759.tif 000010
【図７】
2014023759.tif 000011
【図８】
2014023759.tif 000012
【図９】
2014023759.tif 000013